(57)【要約】【課題】裁断部４０に対して所望の形状の裁断線情報を容易に入力する。【解決手段】シート状の媒体１８０に記録された読取画像５２を読み取る読取部２０と、読取部２０が読み取った読取画像５２から裁断線画像１８６を抽出して裁断線情報を生成する裁断線情報生成部６０と、裁断線情報に従って媒体１８０を裁断する裁断部４０とを備える。ここで、読取画像５２は、媒体１８０に当初記録されていた画像５１に裁断線画像１８６を書き加えた画像である。【選択図】図６
2007136647.tif 000002
【特許請求の範囲】
【請求項１】
シート状の被読取媒体に記録された画像を読み取る読取部と、
前記読取部が読み取った読取画像から裁断線を抽出して裁断線情報を生成する裁断線情報生成部と、
前記読取部から獲得した裁断線情報に従ってシート状の被裁断媒体を裁断する裁断部と
を備える読取裁断複合装置。
【請求項２】
前記読取画像が、前記被裁断媒体に当初記録されていた画像に前記裁断線を書き加えた画像である請求項１に記載の読取裁断複合装置。
【請求項３】
前記読取媒体が、前記被裁断媒体に当初記録されていた画像を複写した複写画像を記録された複写媒体である請求項１に記載の読取裁断複合装置。
【請求項４】
前記複写画像の彩度が、前記裁断線の彩度よりも著しく低い請求項３に記載の読取裁断複合装置。
【請求項５】
前記複写画像の明度が、前記裁断線の明度よりも著しく高い請求項３に記載の読取裁断複合装置。
【請求項６】
前記複写画像が、前記被裁断媒体に当初記録されていた彩色された前記画像をグレースケール化した画像である請求項３に記載の読取裁断複合装置。
【請求項７】
前記裁断線が、前記読取画像の全体の彩度範囲、明度範囲および色度範囲の少なくともひとつの範囲外の領域として前記読取画像に含まれている請求項１に記載の読取裁断複合装置。
【請求項８】
シート状の被読取媒体に記録された画像を読み取る読取手順と、
前記読取手順において読み取った読取画像から裁断線を抽出して裁断線情報を生成する裁断線生成手順と、
前記裁断線情報に従って被裁断媒体を裁断する裁断手順とを含む裁断方法。
【発明の詳細な説明】
【技術分野】
【０００１】
本発明は、読取裁断複合装置および裁断方法に関する。より詳細には、シート状の被読取媒体から画像を読み取る読取部と、シート状の被裁断媒体を切断しあるいは裁断して切片を切り出す裁断部とを備えた読取裁断複合装置に関する。また、読取装置および裁断装置を用いて実施できる媒体の裁断方法にも関する。
【背景技術】
【０００２】
紙、布、樹脂フィルム等のシート状の媒体から、所望の形状の裁断線情報に従って切片を切り出しあるいは切り込みをいれる、カッティング・マシンあるいはカッティング・プロッタ等と呼ばれる裁断装置がある。裁断装置は、切刃の向きおよび媒体に対する高さを変化させることができるカッタヘッドを備え、媒体に対してカッタヘッドを相対移動させることにより媒体に対する裁断動作をする。
【０００３】
特許文献１には、裁断装置の一例が記載されている。この文献に記載された裁断装置は、Ｘ軸方向に走行するテーブルにより搬送される布地に対して、Ｘ軸と直交するＹ軸方向に往復移動する主軸頭を備えている。また、テーブルによるＸ方向への搬送と主軸頭のＹ方向の往復移動を組み合わせて、主軸頭により布地全体を走査することができる。従って、主軸頭にナイフ（カッタ）を装着して布地上で適切な形状を描かせることにより、布地から所望の形状の裁断片を切り出すことができる。
【０００４】
また、特許文献２には、シート状の媒体から所望の裁断片を切り出すことができる作画・カッティング両用プロッタが記載されている。この作画・カッティング両用プロッタも、往復移動する作画ヘッドと、作画ヘッドの往復移動方向に直交する方向に媒体を搬送するローラ群とを備え、媒体の全面に対して作画ヘッドを走査させることができる。従って、作画ヘッドに筆記用具を装着した場合は媒体上に所望の図形を記録することができ、作画ヘッドに刃物を装着した場合は媒体から所望の形状の裁断片を切り出すことができる。また、この特許文献２では、作画・カッティング両用プロッタをホストコンピュータに接続して裁断システムを形成することについても言及されている。
【特許文献１】特公平７−９０５１１号公報
【特許文献２】特開２００１−２２５２９７号公報
【発明の開示】
【発明が解決しようとする課題】
【０００５】
裁断装置を用いて被裁断媒体を裁断するときには、切り出す切片の形状を指示するために、裁断線情報を裁断装置に入力する。しかしながら、裁断線情報の生成は容易な作業とはいえない。例えば、裁断装置の操作部あるいは裁断装置に接続された情報処理装置の入力装置を用いて複雑な裁断線を思い通りに描くことは、専門の訓練を受けていないユーザには相当な困難が伴う。また、被裁断媒体上に記録された画像を切り抜く場合は、その画像の形状だけではなく、媒体上の裁断対象画像の位置を併せて指示しなければならない。このように、裁断線情報の生成は、裁断装置を普及させる上で大きな障壁となっている。
【課題を解決するための手段】
【０００６】
そこで、上記課題を解決するために、本発明の第１の形態として、シート状の被読取媒体に記録された画像を読み取る読取部と、読取部が読み取った読取画像から裁断線を抽出して裁断線情報を生成する裁断線情報生成部と、裁断線に従って被裁断媒体を裁断する裁断部とを備える読取裁断複合装置が提供される。これにより、被読取媒体に裁断線を記入して読取部で読み取らせることにより、裁断線情報生成部に裁断線情報を生成させることができる。また、生成された裁断線情報に基づいて裁断部において被裁断物を裁断させることができるので、裁断装置に対する裁断線情報の入力は極めて容易になる。
【０００７】
また、ひとつの実施形態によると、上記読取裁断複合装置において、読取画像は、被裁断媒体に当初記録されていた画像に裁断線を書き加えた画像である。これにより、被裁断媒体上の画像を切り出すような場合に、切り出し画像に対応した裁断線情報を極めて容易に生成し、入力することができる。
【０００８】
更に、他の実施形態によると、上記読取裁断複合装置において、読取媒体が、被裁断媒体に当初記録されていた画像を複写した複写画像を記録された複写媒体である。これにより、元になった被裁断媒体を汚損することなく、切り出し画像に対応した裁断線情報を入力できる。
【０００９】
また、他の実施形態によると、上記読取裁断複合装置において、複写画像の彩度が、裁断線の彩度よりも著しく低い。あるいは、複写画像が、被裁断媒体に当初記録されていた彩色された画像をグレースケール化した画像である。これにより、彩度の高い筆記用具を用いて複写画像に裁断線を記入することにより、裁断線情報生成部が容易に裁断線を識別して、情報を生成できる。
【００１０】
また、他の実施形態によると、上記読取裁断複合装置において、複写画像の明度が、被裁線の明度よりも著しく高い。これにより、明度の著しく低い筆記用具を用いて複写画像に裁断線を記入することにより、裁断線情報生成部が容易に裁断線を識別して、情報を生成できる。
【００１１】
更に、他の実施形態によると、裁断線が、読取画像の全体の彩度範囲、明度範囲および色度範囲の少なくともひとつの範囲外の領域として読取画像に含まれている。これにより、読取画像から、確実に裁断線を抽出できる。
【００１２】
また、本発明の第２の形態として、シート状の被読取媒体に記録された画像を読み取る読取手順と、読取部が読み取った読取画像から裁断線を抽出して裁断線情報を生成する裁断線生成手順と、裁断線に従って被裁断媒体を裁断する裁断手順とを含む裁断方法が提供される。これにより、特定のデバイスに依存することなく、上記読取裁断複合装置と同等の機能を実現できる。
【００１３】
なお、上記の発明の概要は、本発明の必要な特徴の全てを列挙したものではない。これらの特徴群のサブコンビネーションもまた発明となり得る。
【発明を実施するための最良の形態】
【００１４】
以下、発明の実施の形態を通じて本発明を説明するが、以下の実施形態は特許請求の範囲にかかる発明を限定するものではない。また実施形態の中で説明されている特徴の組み合わせの全てが発明の解決手段に必須であるとは限らない。
【００１５】
図１は、読取部２０および記録裁断部３０を備えた複合装置１０全体の形態を示す斜視図である。同図に示すように、この複合装置１０は、共通の筐体１７０に収められた読取部２０および記録裁断部３０を備える。また、読取部２０は、記録裁断部３０の上に重ねて配置されている。従って、後述する読取部２０から記録裁断部３０への媒体１８０の移動にあたっては、ユーザの手で媒体を移動することになる。しかしながら、特定の媒体に対する情報の一部は、読取部２０および記録裁断部３０の間で共有することもできる。
【００１６】
読取部２０は、画像が形成された媒体１８０を載せるための原稿台１１０と、原稿台１１０に載せられた媒体１８０を上方から押さえる原稿押さえ部１２０とを備える。また、原稿台１１０の中央部の大半は、透明なガラス板１１２により形成される。
【００１７】
ガラス板１１２の直下には、ガラス板１１２の短辺と略同じ長さを有するラインセンサ１９０が、ガラス板１１２の短辺と平行に配置される。また、ラインセンサ１９０は、ガラス板１１２の長辺の略全長にわたって往復移動する。これにより、原稿台１１０上に載せられたシート状の媒体１８０の下面における任意の領域に形成された画像を、ガラス板１１２を介して読み取ることができる。
【００１８】
なお、複合装置１０の下部に形成される記録裁断部３０は、後述するように、上段の記録部３２と下段の裁断部４０とを積層して形成される。この図では、記録裁断部３０の構成のうち、後方に配置されたペーパサポート３１０と、手前側に水平に突出し、且つ、昇降するリフトトレイ３６０とが見えている。ペーパサポート３１０は筐体１７０の後方に固定されており、ここに装入された媒体１８０が一枚ずつ記録部３２に取り込まれ、記録部３２の内部において画像を記録された後、上昇位置にあるリフトトレイ３６０上に排出される。
【００１９】
また、複合装置１０の前面には、操作パネル１３０が設けられる。ここには、複合装置１０全体の電源を断続する電源スイッチ、動作状態を表示するディスプレイ等が配置される。また、操作パネル１３０は、複合装置１０をスタンドアローンの複写機として使用する場合の操作部も兼ねている。なお、この複合装置１０はスタンドアローンで複写機等として使用することもできるが、図示していない情報処理装置等に接続して、その出力装置（プリンタ）あるいは入力装置（スキャナ）等としても使用できる。
【００２０】
図２は、上記複合装置１０における読取部２０の構造を模式的に示す図である。同図に示すように、筐体１７０の一部である読取部２０のハウジングの内部は略立方体の空間を有しており、その長手方向に配置されたガイド軸１５０およびタイミングベルト１６０を備える。タイミングベルト１６０は、筐体１７０の長手方向の一端において、筐体１７０側に軸支されたプーリ１６２に掛けられる。
【００２１】
筐体１７０の長手方向の他端には、モータ１６６を含む駆動輪列ユニット１６４が配置される。タイミングベルト１６０の他端は、この駆動輪列ユニット１６４に装着されたもうひとつのプーリに掛けられる。これにより、プーリ１６２を含む一対のプーリの間で、タイミングベルト１６０はガイド軸１５０と平行に走行する。
【００２２】
また、ガイド軸１５０と直交して、筐体１７０内にはラインセンサ１９０が配置される。ラインセンサ１９０の下部にはガイド軸１５０が挿通される。更に、ラインセンサ１９０は、その下部でタイミングベルト１６０にも結合される。また、駆動輪列ユニットはモータ１６６を搭載しており、プーリ１６２の一方を回転駆動する。これにより、モータ１６６を動作させることにより、ガイド軸１５０に沿って、ラインセンサ１９０を水平に移動させる。
【００２３】
図３は、複合装置１０の内部機構の一部である記録裁断部３０を抜き出して示す斜視図である。同図に示すように、記録裁断部３０は、上段の記録部３２と下段の裁断部４０とを重ねて内部筐体３８０により一体化して形成される。また、記録部３２および裁断部４０に共通の部材として、記録部３２から裁断部４０に媒体１８０を搬送するリフトトレイ３６０を前面に備える。
【００２４】
記録部３２は、内部筐体３８０の後方に装着されたペーパサポート３１０と、搬送ローラ３４０および搬送従動ローラ３４２を含む記録搬送部３４４と、記録プラテン３５０と、排出従動ローラ３７２を含む記録排出部３７４とを有する。これらペーパサポート３１０、記録搬送部３４４および記録排出部３７４が搬送系を形成する。これにより、記録媒体としてペーパサポート３１０に装入された媒体１８０は、記録搬送部３４４により１枚ずつ記録プラテン３５０上に送り込まれ、更に、内部筐体３８０の前面において上昇しているリフトトレイ３６０上に記録排出部３７４により送り出される。
【００２５】
記録プラテン３５０の上方には、媒体１８０の搬送方向と直交するように、互いに平行な一対の案内レール３２０、３２２が水平に配置される。また、案内レール３２０、３２２を自身に挿通され、記録プラテン３５０上で水平に往復移動する記録キャリッジ３３０が配置される。記録キャリッジ３３０は、図示されていない駆動手段により駆動され、案内レール３２０、３２２に沿って往復移動する。このとき、記録キャリッジ３３０は、一対の案内レール３２０、３２２を挿通されているので、前方または後方に傾くことを防ぐことができる。
【００２６】
また、記録キャリッジ３３０は、上方から搭載されたインクカートリッジ３３２と、下面に懸架された記録ヘッド３３４とを備える。これにより、記録プラテン３５０上方で、媒体１８０に向かってインクを吐出する。ここで、記録キャリッジ３３０の往復移動と記録搬送部３４４による媒体１８０の搬送とを組み合わせることにより、媒体１８０表面の任意の領域にインクを吐出させて画像を記録する。
【００２７】
記録プラテン３５０上で画像を記録された媒体１８０は、排出従動ローラ３７２を含む記録排出部３７４により、リフトトレイ３６０に順次送り出される。リフトトレイ３６０は、内部筐体３８０の前面で、内部筐体３８０に対する角度を一定に保ったまま、上下に昇降する。これにより、記録部３２において画像を記録された媒体１８０を、下段の裁断部４０の前方に自動的に移動させる。また、リフトトレイ３６０上に送り出された媒体１８０をそのまま複合装置１０から取り出せば、記録裁断部３０を単なる記録部３２として利用することもできる。
【００２８】
図４は、記録裁断部３０において下段に配置された裁断部４０をフレーム４８０ごと抜き出してその構造を示す斜視図である。同図に示すように、この裁断部４０は、フレーム４８０の後方に装着された排出トレイ４１０を備える一方、フレーム４８０の前面は前述のリフトトレイ３６０に対して開放されている。従って、媒体１８０をリフトトレイ３６０から自身の内部に取り込むことができる。
【００２９】
フレーム４８０の内側の前端側には、リフトトレイ３６０から媒体１８０を取り込み、更に図中に矢印Ｙで示す搬送方向に搬送する、搬送従動ローラ４４２を含む裁断搬送部４４４が形成される。即ち、後述する裁断キャリッジ４３０の下方で媒体１８０を裁断する裁断部と、裁断部の後方に配置されて媒体１８０を排出トレイ４１０側に送り出す裁断排出部３９４とがそれぞれ形成されている。媒体１８０の下方に隠れている搬送ローラはモータにより回転駆動されており、搬送従動ローラ４４２により押し付けられた媒体１８０を後方の裁断プラテン４５０上に搬送する。
【００３０】
裁断プラテン４５０は、水平で略平坦な上面を有し、載せられた媒体１８０を下方から支持して、その鉛直方向の位置を決める。一方、裁断プラテン４５０の上方には、裁断キャリッジ４３０が配置される。また、裁断プラテン４５０の上方には、裁断キャリッジ４３０を貫通する一対の案内レール４２０、４２２が配置される。案内レール４２０、４２２は、媒体１８０の搬送方向と直交する方向に水平に配置され、且つ、互いに平行である。これにより、案内レール４２０、４２２に案内された裁断キャリッジ４３０は、媒体１８０上で往復移動する。なお、図中には、この往復移動方向が矢印Ｘにより示されている。
【００３１】
裁断キャリッジ４３０は、図示されていない駆動機構により駆動されて往復移動する。また、裁断キャリッジ４３０の下面には、カッタ４３２が装着される。カッタ４３２は、裁断キャリッジ４３０に対して相対的に上下に移動する。裁断プラテン４５０上に位置する媒体１８０に向かってカッタ４３２を降下させることにより、カッタ４３２下端を媒体１８０に貫入させる。
【００３２】
更に、カッタ４３２を媒体１８０に貫入させた状態で、媒体１８０の搬送および裁断キャリッジ４３０の往復移動を組み合わせて裁断キャリッジ４３０および媒体１８０を相対移動させることにより、任意の形状の裁断線に従って、媒体１８０をカッタ４３２で裁断する。
【００３３】
なお、この実施形態では説明の便宜上、裁断部４０に対して媒体１８０を図中の手前側から装入し、裁断部４０後方の排出トレイ４１０に排出するように記載した。しかしながら、媒体１８０から裁断領域を切り出すには、少なくとも裁断領域の搬送方向の長さだけは媒体１８０を往復することになる。よって上記実施形態に代えて、裁断搬送部４４４は、図中に矢印Ｙで示す方向に、媒体１８０を往復移動させてもよい。この場合に、最終的に切断された媒体１８０を、前方のリフトトレイ３６０に戻して排出させてもよい。
【００３４】
図５は、図３および図４に示した記録部３２および裁断部４０を備えた記録裁断部３０の動作を説明する模式図である。同図において、図３および図４と共通の構成要素には同じ参照符号を付して重複する説明を省いた。
【００３５】
同図に示すように、リフトトレイ３６０は、その内側端部に形成されたねじ穴に挿通されたボールねじ３６６により支持されている（ボールねじ３６６は、図３では内部筐体３８０の内側にある）。また、ボールねじ３６６の下端にはボールねじ駆動部３６４が結合されており、ボールねじ３６６を回転駆動する。これにより、ボールねじ駆動部３６４を適宜動作させることにより、図中に矢印Ｅで示すように、ボールネジ３６６がリフトトレイ３６０を昇降させる。
【００３６】
上記のようなリフトトレイ３６０を備えた記録裁断部３０において、当初、ペーパサポート３１０に装入された媒体１８０は、搬送ローラ３４０および搬送従動ローラ３４２に挟まれて、記録プラテン３５０上に送り込まれる。この媒体１８０に対して、記録キャリッジ３３０の下面に装着された記録ヘッド３３４からインクが下方に向かって吐出され、媒体１８０の上面に画像が形成される。
【００３７】
やがて、上面に画像を記録された媒体１８０の先端は記録排出部３７４に到達し、排出ローラ３７０および排出従動ローラ３７２に挟まれて、上昇位置にあるリフトトレイ３６０上に排出される。媒体１８０がリフトトレイ３６０上に完全に排出されると、ボールねじ駆動部３６４により駆動されたボールねじ３６６が回転して、リフトトレイ３６０が降下する。
【００３８】
降下したリフトトレイ３６０が裁断搬送部４４４の高さまで降下すると、裁断部４０の搬送ローラ４４０および搬送従動ローラ４４２に挟まれて、媒体１８０は裁断部４０の内部に取り込まれ、裁断プラテン４５０上に搬送される。こうして裁断部４０に取り込まれた媒体１８０は、前記したようにカッタ４３２により裁断され、排出ローラ３９０および排出従動ローラ３９２を含む裁断排出部３９４により排出トレイ４１０上に排出される。
【００３９】
なお、裁断部４０においては、説明の便宜上、リフトトレイ３６０側を裁断搬送部４４４、排出トレイ４１０側を裁断排出部３９４として記載しているが、媒体１８０を往復さてもよい。この場合、媒体１８０は、内部筐体３８０の前方に向かっても、後方に向かっても搬送される。また、最終的に裁断を終えた媒体１８０は、内部筐体３８０の前方に排出させても、後方の排出トレイ４１０に排出させてもよい。
【００４０】
また、リフトトレイ３６０を降下させた状態で、記録部３２を通さずに、裁断部４０に直接に媒体１８０を装入してもよい。これにより、記録裁断部３０を、単機能の裁断部４０として利用することもできる。
【００４１】
図６は、図１から図５までに示した複合装置１０における情報処理機構５０の一部の機能を模式的に示す図である。同図に示すように、読取部２０および裁断部４０は、前記した通り、互いに共通の情報を参照することができる。この実施形態では、両者は裁断線情報生成部６０を介して結合されている。ここで、裁断線情報生成部６０は、読取部２０が被読取媒体から読み取った読取画像情報を入力し、読取画像情報から裁断線情報を抽出する。抽出された裁断線情報は、裁断部４０に転送され、同じ媒体１８０に対して裁断部４０が裁断動作を実行するときに、裁断線を規定する情報として参照される。
【００４２】
図７は、上記の複合装置１０で取り扱う、裁断対象画像１８２を含む画像５１が記録された媒体１８０の一例を示す図である。同図に示すように、この画像５１は、媒体１８０のひとつの面上で混在する裁断対象画像１８２および背景画像１８４を含んで形成されている。
【００４３】
図８は、図７に示した画像５１に裁断線画像１８６が付加された読取画像５２を示す図である。同図に示すように、媒体１８０上の裁断対象画像１８２および背景画像１８４を含む複数の画像のうち、裁断部４０の裁断対象となる画像は中央の裁断対象画像１８２である。このため、裁断線画像１８６は、裁断対象画像１８２を包囲する不規則な多角形として書き込まれている。
【００４４】
このような裁断線画像読取画像５２を有する媒体１８０を、前記した複合装置１０の読取部２０に読み取らせて、得られた画像情報を画像処理することより、裁断線情報生成部６０は裁断線画像１８６だけを抽出し、それに基づいて裁断線情報を抽出する。なお、読取画像５２から裁断線画像１８６を抽出する方法は、公知の方法を用いてよい。例えば、裁断線情報生成部６０は、読取画像５２のうち、所定の太さまたは色を有する線を抽出して、これを裁断線画像１８６として認識してもよい。
【００４５】
前記した通り、抽出した裁断線情報を裁断部４０に参照させることにより、複雑な形状の裁断線を規定する裁断線情報を、確実に裁断部４０に提供できる。これにより、裁断部４０は当該裁断線に沿って媒体１８０を裁断する。なお、読取画像５２に含まれる裁断線画像１８６は、裁断の対象となる画像の記録された媒体１８０に対して、ユーザが筆記用具を用いて直接に記入することができる。
【００４６】
図９は、図７に示した画像５１に裁断線画像１８６が付加された他の形式の読取画像５３を示す図である。同図に示すように、この読取画像５３では、図７に示した元の画像５１に対して薄い裁断対象画像１８２および背景画像１８４が表示されている。これに対して、裁断線画像１８６は著しく明瞭に表示されている。このような読取画像５３からは、裁断線画像１８６を確実に検出して、裁断線情報を生成することができる。
【００４７】
上記のような読取画像５３は、以下の手順で作成する。まず、裁断対象画像１８２を含む画像５１が記録された媒体１８０を、複合装置１０の読取部２０において読み取り、更に、その読取画像を記録部３２において印刷することにより、複写画像の記録された複写媒体を作成する。このとき、出力画像の彩度を低下させる、明度の範囲を狭くする、カラー画像をグレースケールに変換する、等々の画像処理方法により、画像５１の記録画像を全体に薄くすることが好ましい。
【００４８】
このようにして作成された「薄い」画像に対して、画像の彩度、明度、色度等の範囲を越えた色彩、濃度等により線を記録できる筆記用具を用いて裁断線画像１８６を書き込むことにより、明瞭で検出の容易な裁断線画像１８６を含む読取画像５３が得られる。なお、このような処理は、複合装置１０にソフトウェアとして実装してもよいし、汎用の情報処理装置を用いて、同様な方法を実施することもできる。また、読取部２０に画像５１を読み取らせるときに、画像５１および原稿台１１０の間に光学的なフィルタを間挿してもよい。
【００４９】
図１０は、汎用の情報処理装置５００を用いて上記のような裁断方法を実施する場合に用いるシステム７０の構成例を示す図である。同図に示すように、このシステム７０は、汎用の情報処理装置５００と、それに対して接続された、ディスプレイ装置５１０、スキャナ装置５２０、プリンタ装置５３０およびカッティング・プロッタ装置５４０を含んで形成されている。また、情報処理装置５００は、入力装置としてのキーボード５０２およびマウス５０４並びにソフトウェアのインストールに利用できるディスクドライブ５０６を備えている。更に、この情報処理装置５００は、図示されていない通信回線にも接続されており、通信回線を介してデータおよびプログラムを受け入れることもできる。
【００５０】
上記のようなシステム７０において、スキャナ装置５２０により読み取った読取画像から裁断線情報を抽出するソフトウェアを情報処理装置５００に実装することにより、複合装置１０において裁断線情報生成部６０が実行した処理を、情報処理装置５００上で実行できる。更に、抽出した裁断線情報を参照しつつカッティング・プロッタ装置５４０を制御することにより、裁断線情報の入力を容易且つ確実に実行できる。また、システム７０にはプリンタ装置５３０も含まれているので、読取画像の複製を出力すること、読取画像を薄くした複写画像を作成することも実行できる。
【００５１】
以上説明したように、この複合装置または裁断方法によれば、複雑な形状の裁断線情報を、容易且つ確実に裁断部に入力できる。従って、裁断線を描くための描画装置または描画ソフトウェア若しくは裁断装置の操作に対する習熟がなくても、所望の裁断線に従う裁断を容易に実行できる。
【００５２】
以上、本発明を実施の形態を用いて説明したが、本発明の技術的範囲は上記実施の形態に記載の範囲には限定されない。上記実施の形態に、多様な変更または改良を加え得ることは当業者に明らかである。その様な変更または改良を加えた形態が本発明の技術的範囲に含まれ得ることは、特許請求の範囲の記載から明らかである。
【図面の簡単な説明】
【００５３】
【図１】複合装置１０の全体形状の斜視図である。
【図２】読取部２０の内部構造を示す一部切欠斜視図である。
【図３】記録裁断部３０を抜き出してその構造を模式的に示す斜視図である。
【図４】裁断部４０を抜き出してその構造を模式的に示す斜視図である。
【図５】記録裁断部３０の動作を説明するための断面図である。
【図６】複合装置１０における情報処理機構５０を示す図である。
【図７】裁断対象画像１８２を含む画像５１の一例を示す図である。
【図８】図７に示した画像５１に裁断線画像１８６が付加された読取画像５２を示す図である。
【図９】図７に示した画像５１に裁断線画像１８６が付加された他の形式の読取画像５３を示す図である。
【図１０】汎用の情報処理装置５００を用いて裁断方法を実施する場合のシステム７０の構成例を示す図である。
【符号の説明】
【００５４】
１０  複合装置、２０  読取部、３０  記録裁断部、３２  記録部、４０  裁断部、５０  情報処理機構、５１  画像、５２  読取画像、５３  読取画像、６０  裁断線情報生成部、７０  システム、１１０  原稿台、１２０  原稿押さえ部、１１２  ガラス板、１３０  操作パネル、１５０  ガイド軸、１６０  タイミングベルト、１６２  プーリ、１６６  モータ、１６４  駆動輪列ユニット、１７０  筐体、１８０  媒体、１８２  裁断対象画像、１８４  背景画像、１８６  裁断線画像、１９０  ラインセンサ、３１０  ペーパサポート、３２０  案内レール、３２２  案内レール、４２０  案内レール、４２２  案内レール、３３０  記録キャリッジ、３３２  インクカートリッジ、３３４  記録ヘッド、３４０  搬送ローラ、４４０  搬送ローラ、３４２  搬送従動ローラ、４４２  搬送従動ローラ、３４４  記録搬送部、３５０  記録プラテン、３６０  リフトトレイ、３６４  ボールねじ駆動部、３６６  ボールねじ、３７０  排出ローラ、３９０  排出ローラ、３７２  排出従動ローラ、３８０  内部筐体、３９２  排出従動ローラ、３７４  記録排出部、４１０  排出トレイ、４３０  裁断キャリッジ、４３２  カッタ、４４４  裁断搬送部、４５０  裁断プラテン、４８０  フレーム、３９４  裁断排出部、５００  情報処理装置、５０２  キーボード、５０４  マウス、５０６  ディスクドライブ、５１０  ディスプレイ装置、５２０  スキャナ装置、５３０  プリンタ装置、５４０  カッティング・プロッタ装置
【図１】
2007136647.tif 000003
【図２】
2007136647.tif 000004
【図３】
2007136647.tif 000005
【図４】
2007136647.tif 000006
【図５】
2007136647.tif 000007
【図６】
2007136647.tif 000008
【図７】
2007136647.tif 000009
【図８】
2007136647.tif 000010
【図９】
2007136647.tif 000011
【図１０】
2007136647.tif 000012